(57)【要約】      （修正有）【課題】外径や重量の大きなアイナットをワイヤー留め金具から取り外した状態でワイヤーロープを地中に埋入でき、ワイヤーロープの地中埋入作業を容易にするワイヤーアンカーを提供する。【解決手段】一部が地中に埋入保持されて地上の物体を固定する連結部材を連結するものである。地中に埋入されるワイヤーロープ１２と、該ワイヤーロープ１２の先端に嵌着されたワイヤー留め金具１６と、ワイヤーロープ１２の、少なくとも後端に嵌着されてワイヤーロープ１２の撚り状態を保持するクランプ管１４と、ワイヤー留め金具１６に着脱可能に装着され、連結部材を連結するアイナット２４とを備えた。【選択図】図１
0003175418.tif 000002
【実用新案登録請求の範囲】
【請求項１】
一部が地中に埋入保持されて地上の物体を固定する連結部材を連結するものであって、
撚線からなり、地中に埋入されるワイヤーロープと、
前記ワイヤーロープの先端に嵌着されたワイヤー留め金具と、
前記ワイヤーロープの、少なくとも後端に嵌着されて前記ワイヤーロープの撚り状態を保持するクランプ管と、
前記ワイヤー留め金具に着脱可能に装着され、前記連結部材を連結するアイナットとを備えたことを特徴とするワイヤーアンカー。
【請求項２】
請求項１に記載のワイヤーアンカーにおいて、
前記ワイヤーロープを地中に埋入するときにアンカー挿入孔保護のために用いた円筒状のケーシング管を残置した状態でアンカーを挿入した後、ケーシング管が引き抜けるようにしたことを特徴とするワイヤーアンカー。
【請求項３】
請求項１又は２に記載のワイヤーアンカーにおいて、
前記ワイヤーロープの一部に撚りを戻して外径を膨らませた定着部を設け、前記定着部の両側に前記クランプ管を装着したことを特徴とするワイヤーアンカー。
【請求項４】
請求項１乃至３のいずれかに記載のワイヤーアンカーにおいて、
複数の前記クランプ管を、前記ワイヤーロープの中間位の複数個所に嵌着したことを特徴とするワイヤーアンカー。
【考案の詳細な説明】
【技術分野】
【０００１】
本考案は、例えば山腹等における傾斜地の落石・雪崩防止用として設置されているロープ、ボルト等の連結部材を連結して固定するのに用いられるワイヤーアンカーに関する。
【背景技術】
【０００２】
従来、地盤にアンカー挿入孔を形成し、そのアンカー挿入孔に可撓性を有するワイヤアンカーを挿入して、堅固な地盤に定着するものが知られている（特許文献１参照）。
【０００３】
従来のワイヤアンカーは、ワイヤーロープの先端をループ状に加工して、例えば落石・雪崩防止用として設置されているロープ、ボルト等の連結部材を連結する構造である。
【先行技術文献】
【特許文献】
【０００４】
【特許文献１】特開２００２−７０００６号公報
【考案の概要】
【考案が解決しようとする課題】
【０００５】
このようなワイヤアンカーは、地盤に設置するに際し、アンカー頭部のループ形状が削孔径に比べて外径が大きいのでワイヤーロープ等を地盤に設けられたアンカー挿入孔に挿入する作業が煩雑、また困難であるという課題がある。
【０００６】
本考案は、上記の課題を解決するためになされたもので、ワイヤーロープの地中埋入作業を容易にする構造のワイヤーアンカーを提供することを目的とする。
【課題を解決するための手段】
【０００７】
以下の構成はそれぞれ上記の課題を解決するための手段である。
〈構成１〉
一部が地中に埋入保持されて地上の物体を固定する連結部材を連結するものであって、撚線からなり、地中に埋入されるワイヤーロープと、前記ワイヤーロープの先端に嵌着されたワイヤー留め金具と、前記ワイヤーロープの、少なくとも後端に嵌着されて前記ワイヤーロープの撚り状態を保持するクランプ管と、前記ワイヤー留め金具に着脱可能に装着され、前記連結部材を連結するアイナットとを備えたことを特徴とするワイヤーアンカー。
【０００８】
〈構成２〉
構成１に記載のワイヤーアンカーにおいて、前記ワイヤーロープを地中に埋入するときにアンカー挿入孔保護のために用いた円筒状のケーシング管を残置した状態でアンカーを挿入した後、ケーシング管が引き抜けるようにしたことを特徴とするワイヤーアンカー。
【０００９】
〈構成３〉
構成１又は２に記載のワイヤーアンカーにおいて、前記ワイヤーロープの一部に撚りを戻して外径を膨らませた定着部を設け、前記定着部の両側に前記クランプ管を装着したことを特徴とするワイヤーアンカー。
【００１０】
〈構成４〉
構成１乃至３のいずれかに記載のワイヤーアンカーにおいて、複数の前記クランプ管を、前記ワイヤーロープの中間位の複数個所に嵌着したことを特徴とするワイヤーアンカー。
【考案の効果】
【００１１】
〈構成１の効果〉
外径や重量の大きなアイナットをワイヤー留め金具から取り外した状態でワイヤーロープを地中に埋入できるので、ワイヤーロープの地中埋入作業が容易である。
〈構成２の効果〉
ワイヤーロープをケーシング管を残置した状態で地中に埋入することにより、ワイヤーロープを真っ直ぐな状態で地中の所定位置に埋入し易くする。ワイヤーロープが所定位置に収まった後にケーシング管のみを地上に引き抜くとき、外径の大きなアイナットをワイヤー留め金具から外しておくことによりアイナットの外径より小さな内径を有するケーシング管をスムーズに地上に引き抜くことができる。ケーシング管を抜きながらモルタルの注入を着実に行うことができる。
〈構成３の効果〉
定着部にモルタルを浸入固化させてワイヤーロープを地中に、より堅固に固定することができる。
〈構成４の効果〉
複数のクランプ管がワイヤーロープを短間隔で撚り状態を保持するので、使用時にワイヤーロープの先端に過大な張力が掛かったときワイヤーロープのほぼ全長に亘って撚りが締まってワイヤーロープ内のモルタルの固形状態が変化しワイヤーロープの引張力に対する耐力が脆弱化するのを防止できる。
【図面の簡単な説明】
【００１２】
【図１】本考案に係るワイヤアンカーの一実施例を示す正面図である。
【図２】同ワイヤアンカーを構成するワイヤー留め金具とアイナットとを解体して示す正面図である。
【図３】（ａ）は図２のワイヤー留め金具とアイナットとを拡大して示す正面図、（ｂ）は同アイナットの平面図である。
【図４】同ワイヤーアンカーを設置する手順を示す断面図である。
【図５】図５の（ａ）は本考案に係るワイヤアンカーの他の実施例を示す正面図、（ｂ）は本考案に係るワイヤアンカーのさらに他の実施例を示す正面図である。
【考案を実施するための形態】
【００１３】
以下、本考案の実施の形態を詳細に説明する。
【実施例１】
【００１４】
図１は本考案に係るワイヤアンカー１０の一実施例を示している。図２は同ワイヤアンカーを構成するワイヤー留め金具１６とアイナット２４とを解体して示している。図３の（ａ）は図２のワイヤー留め金具１６とアイナット２４とを拡大して示している。（ｂ）は同アイナット２４を示している。
【００１５】
ワイヤーアンカー１０は、図１、図２に示すように、撚線からなるワイヤーロープ１２と、ワイヤーロープ１２の先端に嵌着されたワイヤー留め金具１６と、ワイヤーロープ１２の撚り状態を保持するクランプ管１４と、ワイヤー留め金具１６に着脱可能に装着されたアイナット２４とを備えている。
【００１６】
ワイヤーロープ１２にはワイヤーロープ１２の一部に撚りを戻して外径を膨らませた定着部３２が設けられている。定着部３２の両側に撚り状態を保持するクランプ管１４が装着されている。定着部３２は各撚線間の隙間が拡がるので後述するモルタル３８が浸入し易い。この浸入したモルタル３８が各撚線間で固化したときワイヤーロープ１２を地中に、より堅固に固定する。
【００１７】
ワイヤー留め金具１６は、図３に示すように、ワイヤーロープ１２を挿入するロープ挿入孔２０と、アイナット２４のねじ孔２６に螺合するために外周面に設けられたねじ溝１８と、ロープ挿入孔２０の奥部に対向する外周面に設けられた周溝２２とが設けられている。
【００１８】
アイナット２４は、ワイヤー留め金具１６に着脱可能に装着され、例えば山腹等における傾斜地の落石・雪崩防止用として設置されているロープ、ボルト等の連結部材２８（図４）を連結する。アイナット２４は、ワイヤー留め金具１６に比べて外径が大きく構成され重量も大きい。
【００１９】
次に、図面を用いて本考案のワイヤーアンカー１０の設置例について説明する。図４はワイヤーアンカー１０を地盤３４に設置する手順を示している。
先ず、図４（ａ）に示すように地盤３４の所定位置に、先端部にビットを備えた削孔ロッド（図示せず）を用いて所定長さのアンカー挿入孔３６を形成する。
【００２０】
次に、図４（ｂ）に示すように、ワイヤーアンカー１０を、円筒状のケーシング管３０を残置した状態でアンカー挿入孔３６内に挿入する。このとき、ワイヤーアンカー１０はアイナット２４をワイヤー留め金具１６から外した状態とされている。
【００２１】
円筒状のケーシング管３０の内径は、ワイヤーロープ１２やワイヤー留め金具１６の最大外径より僅かに大きく、かつアイナット２４の最大外径より小さい。従って、アイナット２４は、ケーシング管３０にワイヤー留め金具１６が挿入されているときはワイヤー留め金具１６から取り外されている。
【００２２】
ワイヤーアンカー１０がアンカー挿入孔３６の内部に所定の状態で収容されると、図４（ｃ）に示すようにケーシング管３０をアンカー挿入孔３６から引き抜く。同時にアンカー挿入孔３６内にモルタル３８を注入する。すなわち、図４（ｄ）にも示すようにケーシング管３０を引き抜きながらモルタル３８を注入する。
【００２３】
ケーシング管３０の引き抜き作業が終了したら、図４（ｅ）に示すようにワイヤー留め金具１６の先端にアイナット２４をねじ込んで装着する。これらの作業が終了した後、アンカー挿入孔３６内のモルタル３８を養生固化させ、アイナット２４にボルト等の連結部材２８を連結し、この連結部材２８を介して図示しない地上の物体を固定するために接続される。
【００２４】
ワイヤーロープ１２にケーシング管３０を残置した状態で地中に埋入することにより、ワイヤーロープ１２を真っ直ぐな状態で地中の所定位置に埋入し易くする。ケーシング管３０のみをアンカー挿入孔３６内から引き抜くとき、外径の大きなアイナット２４をワイヤー留め金具１６から外しておくことによりケーシング管３０をスムーズに地上に引き抜くことができる。ケーシング管３０を抜きながらモルタルの注入をすることによりモルタルをアンカー挿入孔３６内の隅々に要領よく充填できる。
【実施例２】
【００２５】
図５の（ａ）は、他の実施例のワイヤアンカー１０Ａを示している。なお、図５（ａ）には図１と同一部分に同一符号を付して重複説明を省略する。
【００２６】
図５（ａ）に示すように、この実施例のワイヤアンカー１０Ａは、定着部３２を形成しない一直線状のワイヤーロープ１２を使用したものである。この一直線状のワイヤーロープ１２以外の構成は、図１に示した構成と同じである。
【００２７】
この実施例のワイヤアンカー１０Ａは、定着部３２を設けない一直線状のワイヤーロープ１２を使用していることから、製造が簡単でコストダウンが可能であり、大きな引張力が加わらない場合の使用例に適する。
【実施例３】
【００２８】
図５（ｂ）は、さらに他の実施例のワイヤアンカー１０Ｂを示している。なお、図５（ｂ）には図１と同一部分に同一符号を付して重複説明を省略する。
【００２９】
この実施例のワイヤアンカー１０Ｂは、図５（ｂ）に示すように、定着部３２を形成しない一直線状のワイヤーロープ１２の複数個所に、複数のクランプ管１４を、短間隔で嵌着したものである。
【００３０】
この実施例のワイヤアンカー１０Ｂは、複数のクランプ管１４がワイヤーロープ１２を短間隔で撚り状態を保持するので、ワイヤーロープ１２の引張力に対する耐力が脆弱化するのを防止できる。
【００３１】
すなわち、ワイヤーロープ１２に対するクランプ管１４の設置間隔が長いほど、使用時にワイヤーロープ１２の先端に過大な張力が掛かったときワイヤーロープ１２の撚りが引き締まる範囲が長くなる。このため、ワイヤーロープ１２の撚線内のモルタル３８の固形状態が長い範囲で変化しワイヤーロープ１２の引張力に対する耐力が全体的に脆弱化することになる。この実施例のワイヤアンカー１０Ｂは、ワイヤーロープ１２の引張力に対する耐力が全体的に脆弱化するのを防止できる。
【符号の説明】
【００３２】
１０  ワイヤーアンカー
１２  ワイヤーロープ
１４  クランプ管
１６  ワイヤー留め金具
１８  ねじ溝
２０  ロープ挿入孔
２２  周溝
２４  アイナット
２６  ねじ孔
２８  連結部材
３０  ケーシング管
３２  定着部
３４  地盤
３６  アンカー挿入孔
３８  モルタル
【図１】
0003175418.tif 000003
【図２】
0003175418.tif 000004
【図３】
0003175418.tif 000005
【図４】
0003175418.tif 000006
【図５】
0003175418.tif 000007
【手続補正書】
【提出日】平成24年3月22日(2012.3.22)
【手続補正１】
【補正対象書類名】実用新案登録請求の範囲
【補正対象項目名】全文
【補正方法】変更
【補正の内容】
【実用新案登録請求の範囲】
【請求項１】
一部が地中に埋入保持されて地上の物体を固定する連結部材を連結するものであって、
撚線からなり、地中に埋入されるワイヤーロープと、
前記ワイヤーロープの先端に嵌着されたワイヤー留め金具と、
前記ワイヤーロープの、少なくとも後端に嵌着されて前記ワイヤーロープの撚り状態を保持するクランプ管と、
前記ワイヤー留め金具に着脱可能に装着され、前記連結部材を連結するアイナットとを備えたことを特徴とするワイヤーアンカー。
【請求項２】
請求項１に記載のワイヤーアンカーにおいて、
前記ワイヤーロープおよび前記ワイヤー留め金具の最大外径より僅かに大きく、かつ前記アイナットの最大外径より小さい内径を有し、前記ワイヤーロープおよび前記ワイヤー留め金具を挿入する円筒状のケーシング管を備えたことを特徴とするワイヤーアンカー。
【請求項３】
請求項１又は２に記載のワイヤーアンカーにおいて、
前記ワイヤーロープの一部に撚りを戻して外径を膨らませた定着部を設け、前記定着部の両側に前記クランプ管を装着したことを特徴とするワイヤーアンカー。
【請求項４】
請求項１乃至３のいずれかに記載のワイヤーアンカーにおいて、
複数の前記クランプ管を、前記ワイヤーロープの中間位の複数個所に嵌着したことを特徴とするワイヤーアンカー。
【手続補正２】
【補正対象書類名】明細書
【補正対象項目名】０００８
【補正方法】変更
【補正の内容】
【０００８】
〈構成２〉
構成１に記載のワイヤーアンカーにおいて、
前記ワイヤーロープおよび前記ワイヤー留め金具の最大外径より僅かに大きく、かつ前記アイナットの最大外径より小さい内径を有し、前記ワイヤーロープおよび前記ワイヤー留め金具を挿入する円筒状のケーシング管を備えたことを特徴とするワイヤーアンカー。